(57)【要約】【課題】印刷をしようとする者が直接アクセスできない電子データを好適に印刷することが可能な印刷システムを提供する。【解決手段】印刷システムは、利用者による印刷指示に基づき印刷を行うプリンタと、プリンタに実行させる印刷ジョブを生成する端末装置と、印刷管理装置とを備える。端末装置は、印刷指示を行う利用者を指定し、指定された利用者に対応する印刷ジョブを生成する。そして、端末装置は、生成した印刷ジョブを印刷管理装置に送信する。印刷管理装置は、端末装置から受信した印刷ジョブを保存する。また、印刷管理装置は、プリンタから印刷指示を受信したときに、当該印刷指示を行った利用者に対応する印刷ジョブをプリンタに送信して実行させる。【選択図】図３
2015001772.tif 000002
【特許請求の範囲】
【請求項１】
印刷指示に基づき印刷を行うプリンタと、
前記プリンタに実行させる印刷ジョブを生成する端末装置と、
前記プリンタ及び前記端末装置にネットで接続された印刷管理装置とを備える印刷システムであって、
前記端末装置は、
印刷指示を行う事ができる利用者を、前記端末装置を操作している利用者以外の１名以上指定する指定手段と、
前記指定手段により指定された利用者に対応する印刷ジョブを生成する印刷ジョブ生成手段と、
前記印刷ジョブ生成手段が生成した印刷ジョブを前記印刷管理装置に送信する送信手段とを有し、
前記印刷管理装置は、
前記端末装置から受信した印刷ジョブを保存する印刷ジョブ保存手段と、
前記プリンタから印刷指示を受信したときに、当該印刷指示を行った利用者に対応する印刷ジョブを前記プリンタに送信して実行させる印刷制御手段と
を有することを特徴とする印刷システム。
【請求項２】
印刷指示に基づき印刷を行うプリンタと、
前記プリンタに実行させる印刷ジョブを生成する端末装置と、
前記プリンタ及び前記端末装置にネットで接続された印刷管理装置とを備える印刷システムであって、
前記端末装置は、
前記端末利用者の指示により、印刷ジョブを生成する印刷ジョブ生成手段と、
前記印刷ジョブ生成手段が生成した印刷ジョブを前記印刷管理装置に送信する送信手段と、
前記印刷管理装置が前記プリンタからの印刷指示を受ける前に、前記端末装置を操作している利用者の指示により生成された印刷ジョブの利用者情報を、当該利用者以外の他の利用者１名以上の情報に置き換え又は複製する手段と、を有し、
前記印刷管理装置は、
前記端末装置から受信した印刷ジョブを保存する印刷ジョブ保存手段と、
前記プリンタから印刷指示を受信したときに、当該印刷指示を行った利用者に対応する印刷ジョブを前記プリンタに送信して実行させる印刷制御手段と
を有することを特徴とする印刷システム。
【請求項３】
印刷指示に基づき印刷を行うプリンタと、
前記プリンタに実行させる印刷ジョブを生成する端末装置と、を備える印刷システムであって、
前記端末装置は、
前記端末利用者の指示により、印刷ジョブを生成する印刷ジョブ生成手段と、
前記印刷ジョブ生成手段が生成した印刷ジョブを前記プリンタに送信する送信手段と、
前記印刷ジョブの印刷指示前に、前記端末装置を操作している利用者の印刷ジョブの利用者情報を当該利用者以外の他の利用者、１名以上の情報に置き換え又は複製する利用者情報変更手段と、
を有することを特徴とする印刷システム。
【請求項４】
前記端末装置は、生成する印刷ジョブの有効期限をさらに指定し、
前記印刷ジョブ生成手段は、前記端末装置により指定された有効期限内でのみ有効な印刷ジョブを生成することを特徴とする請求項１乃至３のいずれか一項に記載の印刷システム。
【請求項５】
利用者による印刷指示に基づき印刷を行うプリンタと、
前記プリンタに実行させる印刷ジョブを生成する端末装置と、
前記プリンタ及び前記端末装置に接続された印刷管理装置とを備える印刷システムであって、
前記端末装置は、
印刷指示に必要なコードを出力するコード出力手段と、
前記コード出力手段が出力したコードに関連付けられた印刷ジョブを生成する印刷ジョブ生成手段と、
前記印刷ジョブ生成手段が生成した印刷ジョブを前記印刷管理装置に送信する送信手段とを有し、
前記印刷管理装置は、
前記端末装置から受信した印刷ジョブを保存する印刷ジョブ保存手段と、
前記プリンタから印刷指示と共に利用者が入力したコードを受信し、当該コードに対応する印刷ジョブを前記プリンタに送信して実行させる印刷制御手段とを有することを特徴とする印刷システム。
【請求項６】
前記印刷管理装置は、前記端末装置の要求に基づき、未実行の印刷ジョブに付されたコードと重複しないコードを生成するコード生成手段を有し、
前記端末装置のコード出力手段は、前記印刷管理装置が生成したコードを取得し、当該コードを出力することを特徴とする請求項５に記載の印刷システム。
【請求項７】
前記コード生成手段は、生成したコードに有効期限を設け、
前記印刷ジョブ保存手段は、前記有効期限が過ぎたコードが付加された印刷ジョブを削除することを特徴とする請求項５または６に記載の印刷システム。
【請求項８】
請求項１乃至７のいずれか一項の端末装置として機能させることを特徴とするプログラム。
【請求項９】
利用者による印刷指示に基づき印刷を行うプリンタと、
前記プリンタに実行させる印刷ジョブを生成する端末装置と、
前記プリンタ及び前記端末装置に接続された印刷管理装置とを備える印刷システムであって、
前記印刷管理装置は、
前記端末装置から受信した印刷ジョブを保存する印刷ジョブ保存手段と、
前記プリンタから印刷指示を受信したときに、当該印刷指示を行った利用者に対応する印刷ジョブを前記プリンタに送信して実行させる印刷制御手段とを有し、
前記プリンタは、
前記印刷指示に関する権限の委譲を受け付ける権限委譲受付手段と、
前権限の委譲が有効な期間では、前記権限の委譲先の利用者による印刷指示を、前記権限の委譲元の利用者による印刷指示として認識し、当該印刷指示を前記印刷管理装置に送信する印刷指示送信手段と
を有することを特徴とする印刷システム。
【請求項１０】
前記権限委譲受付手段は、前記権限の委譲先の情報と前記権限の委譲元の情報とがコード化されたパターンを読み取ることで、前記権限の委譲を受け付けることを特徴とする請求項９に記載の印刷システム。
【請求項１１】
前記権限委譲受付手段は、前記権限の委譲を受け付けた際に読み取った前記パターンと同一のパターンを読み取った場合、前権限の委譲を無効にすることを特徴とする請求項１０に記載の印刷システム。
【請求項１２】
請求項９乃至１１のいずれか一項のプリンタとして機能させることを特徴とするプログラム。
【発明の詳細な説明】
【技術分野】
【０００１】
本発明は、電子データを印刷する方法に関する。
【背景技術】
【０００２】
昨今、オフィスや学校などにおいてプリンタを利用する際、放置プリントアウトの防止、セキュリティの向上、課金などを目的として、社員証や学生証を認証媒体として利用する運用が一般的となってきている。具体的に、利用者は自分のＰＣなどから印刷ジョブをサーバへ送信した後、最寄りのプリンタの場所に行き、社員証などをかざすことにより印刷を指示する。印刷指示がなされたプリンタは、社員証から読み取った利用者のＩＤなどに基づいて、サーバからその利用者の印刷ジョブデータを取得し、印刷出力を行う。なお、特許文献１には、文書を生成する文書生成サービスと、その文書の登録を受けて印刷する印刷管理サービスとが連携する場合に、これらサービスを利用するユーザの権限を委譲するシステムが開示されている。また、特許文献２にも同様に、ユーザの権限を委譲するシステムが開示されている。
【先行技術文献】
【特許文献】
【０００３】
【特許文献１】特開２０１２−００８９５８号公報
【特許文献２】特開２０１２−０９３８０１号公報
【発明の概要】
【発明が解決しようとする課題】
【０００４】
現状の印刷システムでは、利用者が直接アクセスできない電子データを印刷することができない。一方、社内のオフィス間の出張時などでは、利用者は、常勤のオフィスのサーバ装置などに記憶させた電子データを出張先にあるプリンタで印刷したい場合がある。そこで、本発明は、印刷をしようとする者が直接アクセスできない電子データを好適に印刷することが可能な印刷システムを提供することを主な目的とする。
【課題を解決するための手段】
【０００５】
本発明の１つの観点では、印刷指示に基づき印刷を行うプリンタと、前記プリンタに実行させる印刷ジョブを生成する端末装置と、前記プリンタ及び前記端末装置にネットで接続された印刷管理装置とを備える印刷システムであって、前記端末装置は、印刷指示を行う事ができる利用者を、前記端末装置を操作している利用者以外の１名以上指定する指定手段と、前記指定手段により指定された利用者に対応する印刷ジョブを生成する印刷ジョブ生成手段と、前記印刷ジョブ生成手段が生成した印刷ジョブを前記印刷管理装置に送信する送信手段とを有し、前記印刷管理装置は、前記端末装置から受信した印刷ジョブを保存する印刷ジョブ保存手段と、前記プリンタから印刷指示を受信したときに、当該印刷指示を行った利用者に対応する印刷ジョブを前記プリンタに送信して実行させる印刷制御手段とを有することを特徴とする印刷システム。
【０００６】
上記の印刷システムは、利用者による印刷指示に基づき印刷を行うプリンタと、プリンタに実行させる印刷ジョブを生成する端末装置と、印刷管理装置とを備える。端末装置は、印刷指示を行う利用者を指定し、指定された利用者に対応する印刷ジョブを生成する。そして、端末装置は、生成した印刷ジョブを印刷管理装置に送信する。印刷管理装置は、端末装置から受信した印刷ジョブを保存する。また、印刷管理装置は、プリンタから印刷指示を受信したときに、当該印刷指示を行った利用者に対応する印刷ジョブをプリンタに送信して実行させる。この態様により、端末装置は、任意の者を指定して印刷ジョブを生成することができる。従って、印刷をしようとする者は、自らがアクセスできない電子データを印刷する場合であっても、端末装置の利用者に自らを指定した印刷ジョブの生成を依頼することで、所望の電子データをプリンタで印刷することができる。
【０００７】
本発明の他の観点では、印刷指示に基づき印刷を行うプリンタと、前記プリンタに実行させる印刷ジョブを生成する端末装置と、前記プリンタ及び前記端末装置にネットで接続された印刷管理装置とを備える印刷システムであって、前記端末装置は、前記端末利用者の指示により、印刷ジョブを生成する印刷ジョブ生成手段と、前記印刷ジョブ生成手段が生成した印刷ジョブを前記印刷管理装置に送信する送信手段と、前記印刷管理装置が前記プリンタからの印刷指示を受ける前に、前記端末装置を操作している利用者の指示により生成された印刷ジョブの利用者情報を、当該利用者以外の他の利用者１名以上の情報に置き換え又は複製する手段と、を有し、前記印刷管理装置は、前記端末装置から受信した印刷ジョブを保存する印刷ジョブ保存手段と、前記プリンタから印刷指示を受信したときに、当該印刷指示を行った利用者に対応する印刷ジョブを前記プリンタに送信して実行させる印刷制御手段とを有する。この態様によって印刷をしようとする者は、自らがアクセスできない電子データを印刷する場合に、端末装置の利用者に自らを指定した印刷ジョブの生成を依頼することで、所望の電子データをプリンタで印刷することができる。
【０００８】
本発明の他の観点では、印刷指示に基づき印刷を行うプリンタと、前記プリンタに実行させる印刷ジョブを生成する端末装置と、を備える印刷システムであって、前記端末装置は、前記端末利用者の指示により、印刷ジョブを生成する印刷ジョブ生成手段と、前記印刷ジョブ生成手段が生成した印刷ジョブを前記プリンタに送信する送信手段と、前記印刷ジョブの印刷指示前に、前記端末装置を操作している利用者の印刷ジョブの利用者情報を当該利用者以外の他の利用者、１名以上の情報に置き換え又は複製する利用者情報変更手段と、を有する。この態様によって、印刷をしようとする者は、自らがアクセスできない電子データを印刷する場合に、端末装置の利用者に自らを指定した印刷ジョブの生成を依頼することで、所望の電子データをプリンタで印刷することができる。
【０００９】
上記印刷システムの一態様では、前記端末装置は、生成する印刷ジョブの有効期限をさらに指定し、前記印刷ジョブ生成手段は、前記端末装置により指定された有効期限内でのみ有効な印刷ジョブを生成する。この態様により、端末装置の利用者は、他人のために生成した印刷ジョブの有効期限を好適に定めることができる。
【００１０】
本発明の他の観点では、利用者による印刷指示に基づき印刷を行うプリンタと、前記プリンタに実行させる印刷ジョブを生成する端末装置と、前記プリンタ及び前記端末装置に接続された印刷管理装置とを備える印刷システムであって、前記端末装置は、印刷指示に必要なコードを出力するコード出力手段と、前記コード出力手段が出力したコードに関連付けられた印刷ジョブを生成する印刷ジョブ生成手段と、前記印刷ジョブ生成手段が生成した印刷ジョブを前記印刷管理装置に送信する送信手段とを有し、前記印刷管理装置は、前記端末装置から受信した印刷ジョブを保存する印刷ジョブ保存手段と、前記プリンタから印刷指示と共に利用者が入力したコードを受信し、当該コードに対応する印刷ジョブを前記プリンタに送信して実行させる印刷制御手段とを有する。
【００１１】
上記の印刷システムは、利用者による印刷指示に基づき印刷を行うプリンタと、プリンタに実行させる印刷ジョブを生成する端末装置と、印刷管理装置とを備える。端末装置は、印刷指示に必要なコードを出力し、出力したコードに関連付けられた印刷ジョブを生成する。印刷管理装置は、プリンタから印刷指示と共に利用者が入力したコードを受信し、当該コードに対応する印刷ジョブをプリンタに送信して実行させる。この態様により、印刷をしようとする者は、自らがアクセスできない電子データを印刷する場合であっても、端末装置の利用者に印刷ジョブの生成を依頼し、当該印刷ジョブのコードを通知してもらうことで、所望の電子データをプリンタで印刷することができる。
【００１２】
上記印刷システムの一態様では、前記印刷管理装置は、前記端末装置の要求に基づき、未実行の印刷ジョブに付されたコードと重複しないコードを生成するコード生成手段を有し、前記端末装置のコード出力手段は、前記印刷管理装置が生成したコードを取得し、当該コードを出力する。この態様により、印刷システムは、未実行の複数の印刷ジョブに対して同一のコードを付与するのを好適に防ぐことができる。
【００１３】
印刷システムの他の一態様では、前記コード生成手段は、生成したコードに有効期限を設け、前記印刷ジョブ保存手段は、前記有効期限が過ぎたコードが付加された印刷ジョブを削除する。この態様により、端末装置は、生成したコードの有効期限を定めて印刷ジョブの不正利用等を好適に防ぐことができる。
【００１４】
本発明のさらに別の観点では、利用者による印刷指示に基づき印刷を行うプリンタと、前記プリンタに実行させる印刷ジョブを生成する端末装置と、前記プリンタ及び前記端末装置に接続された印刷管理装置とを備える印刷システムであって、前記印刷管理装置は、前記端末装置から受信した印刷ジョブを保存する印刷ジョブ保存手段と、前記プリンタから印刷指示を受信したときに、当該印刷指示を行った利用者に対応する印刷ジョブを前記プリンタに送信して実行させる印刷制御手段とを有し、前記プリンタは、前記印刷指示に関する権限の委譲を受け付ける権限委譲受付手段と、前権限の委譲が有効な期間では、前記権限の委譲先の利用者による印刷指示を、前記権限の委譲元の利用者による印刷指示として認識し、当該印刷指示を前記印刷管理装置に送信する印刷指示送信手段とを有する。
【００１５】
上記の印刷システムは、利用者による印刷指示に基づき印刷を行うプリンタと、プリンタに実行させる印刷ジョブを生成する端末装置と、印刷管理装置とを備える。印刷管理装置は、前記端末装置から受信した印刷ジョブを保存する。また、印刷管理装置は、プリンタから印刷指示を受信したときに、当該印刷指示を行った利用者に対応する印刷ジョブをプリンタに送信して実行させる。プリンタは、印刷指示に関する権限の委譲を受け付ける。そして、プリンタは、権限の委譲が有効な期間では、権限の委譲先の利用者による印刷指示を、権限の委譲元の利用者による印刷指示として認識し、当該印刷指示を前記印刷管理装置に送信する。この態様により、印刷をしようとする者は、自らがアクセスできない電子データを印刷する場合であっても、印刷指示に関する権限の委譲をプリンタに登録することで、端末装置の利用者が生成した印刷ジョブにより、所望の電子データの印刷をプリンタに実行させることができる。
【００１６】
上記印刷システムの一態様では、前記権限委譲受付手段は、前記権限の委譲先の情報と前記権限の委譲元の情報とがコード化されたパターンを読み取ることで、前記権限の委譲を受け付ける。この態様により、印刷をしようとする者は、印刷指示に関する権限の委譲をプリンタに好適に認識させることができる。
【００１７】
上記印刷システムの他の一態様では、前記権限委譲受付手段は、前記権限の委譲を受け付けた際に読み取った前記パターンと同一のパターンを読み取った場合、前権限の委譲を無効にする。この態様により、印刷指示に関する権限の委譲の有効化及び無効化を好適に実行することができる。
【００１８】
本発明に係るプログラムは、上記記載のいずれか一つの端末装置又はプリンタとして機能させる。これらのプログラムを端末装置又はプリンタにインストールして機能させることで、本発明に係る端末装置又はプリンタを構成させることができる。
【発明の効果】
【００１９】
本発明によれば、印刷をしようとする者は、自らがアクセスできない電子データを印刷する場合であっても、端末装置の利用者に印刷ジョブの生成を依頼することで、所望の電子データをプリンタに印刷させることができる。
【図面の簡単な説明】
【００２０】
【図１】印刷システムの概略構成を示すブロック図である。
【図２】ジョブ管理サーバが有する各情報の例を示す。
【図３】印刷設定ウィンドウの表示例を示す。
【図４】印刷設定ウィンドウの表示例を示す。
【図５】プリント権限委譲書の上面図を示す。
【図６】第２実施例に係るフローチャートである。
【図７】変形例に係るプリント権限委譲書の上面図を示す。
【発明を実施するための形態】
【００２１】
以下、図面を参照しながら、本発明の実施の形態について説明する。以下の実施形態は、利用者Ａが東京オフィスから大阪オフィスへの出張時に、東京オフィス内からのみアクセス可能なサーバ装置に記憶された電子データの印刷の実行を、東京オフィスにいる利用者Ｂの協力の下に行うものである。
【００２２】
［構成］
図１は、本実施形態に係る印刷システムの概略構成を示す。図示のように、印刷システムは、東京オフィスに存在する端末装置２、ＭＦＰ（Ｍｕｌｔｉ‐Ｆｕｎｃｔｉｏｎ  Ｐｅｒｉｐｈｅｒａｌ）３Ａ、ジョブ管理サーバ４、及びサーバ装置５と、大阪オフィスに存在するＭＦＰ３Ｂとを有する。東京オフィス内の各機器は、東京オフィス内に設けられたＬＡＮ６を介して互いに接続する。また、ジョブ管理サーバ４と、ＭＦＰ３Ｂとは、ネットワーク１００を介して接続している。なお、以下の説明では、２つのＭＦＰ３Ａ、３Ｂのうちの特定の１つを指す場合には「ＭＦＰ３Ａ」、「ＭＦＰ３Ｂ」などと表記し、特定の１つに限定しない場合には単に「ＭＦＰ」と表記する。
【００２３】
端末装置２は、利用者Ｂが使用するＰＣなどである。端末装置２には、後述する印刷ジョブを生成してジョブ管理サーバ４へ送信するためのプリンタドライバのプログラムがインストールされている。利用者Ｂは、端末装置２を操作することで、利用者Ａに依頼されたサーバ装置５内に記憶された電子データ（「印刷対象データＤｔａｇ」とも呼ぶ。）の印刷指示を行う。なお、利用者Ａ及び利用者Ｂは、自分の利用者ＩＤを記憶した記憶媒体を所持している。本実施形態では、この記憶媒体は社員証などのＩＣカードであるものとする。
【００２４】
ＭＦＰ３Ａ、３Ｂは、プリンタ機能に加え、コピー機能、ファックス機能、スキャナ機能などの複数の機能を有する周辺機器である。ＭＦＰ３Ａ，３Ｂには、利用者のＩＣカードから利用者ＩＤを読み取るためのＩＣカードリーダ、所定の情報を表示するディスプレイ、及びボタンなどの入力部が設けられている。本実施形態では、ＭＦＰ３Ｂは、利用者Ａの操作に基づき、印刷対象データＤｔａｇの印刷物を出力する。ＭＦＰ３Ｂは、本発明における「プリンタ」として機能する。
【００２５】
ジョブ管理サーバ４は、端末装置２からＭＦＰ３Ａ、３Ｂへの印刷などのジョブを統括して管理、制御する装置である。ジョブ管理サーバ４は、本発明における「印刷管理装置」の一例である。
【００２６】
サーバ装置５は、本実施形態の印刷対象となる印刷対象データＤｔａｇを含む東京オフィスの各端末装置が生成した電子データを記憶する。本実施形態では、サーバ装置５が記憶した電子データには、東京オフィス内のＬＡＮ６に接続している端末装置（図１では端末装置２）のみがアクセスできるものとする。
【００２７】
［印刷方法の基本説明］
まず、利用者Ａ，Ｂなどの各利用者が電子データをＭＦＰに印刷させる基本的な方法について説明しておく。概略的には、利用者は、端末装置２などの端末装置から任意の電子データの印刷ジョブの生成指示を行った後、ＭＦＰに行ってＩＣカードをかざすことにより当該電子データを印刷することができる。
【００２８】
以下では、代表例として、利用者Ｂが端末装置２を操作することで、ＭＦＰ３Ａに所定の電子データを印刷させる例について説明する。
【００２９】
利用者Ｂは、端末装置２を操作して所定の電子データを端末装置２に表示させて当該電子データの印刷指示を行う。この場合、端末装置２は、インストールしたプリンタドライバに基づき、印刷枚数や印刷範囲などを指定するウィンドウ画面（「印刷設定ウィンドウ」とも呼ぶ。）を表示し、印刷に関する設定の入力を受け付ける。そして、端末装置２は、印刷設定ウィンドウにて入力された印刷設定に基づき、印刷ジョブを生成し、当該印刷ジョブをジョブ管理サーバ４へ送信する。なお、この印刷ジョブには、印刷を指示した利用者の利用者ＩＤが含まれている。ジョブ管理サーバ４は、端末装置２から印刷ジョブを受信し、保存しておく。
【００３０】
次に、利用者Ｂは、ＭＦＰ３Ａの場所に行き、自分のＩＣカードをそのＭＦＰ３Ａにかざす。ＭＦＰ３Ａは、ＩＣカードから利用者ＩＤを読み出し、当該利用者ＩＤと、自身のプリンタＩＤとをジョブ管理サーバ４へ送信する。ジョブ管理サーバ４は、保存しておいた複数の印刷ジョブから、その利用者ＩＤに対応する印刷ジョブを取得し、ＭＦＰ３Ａへ送信する。ＭＦＰ３Ａは、受信した印刷ジョブを実行し、電子データを印刷出力する。こうして、利用者Ｂは電子データを印刷することができる。また、各利用者は、印刷ジョブと同様、書類のＦＡＸ送信、スキャン、又はコピーなどの各ジョブの実行指示をＭＦＰに対して行うことができる。
【００３１】
［ジョブ管理サーバが記憶する情報］
次に、ジョブ管理サーバ４が記憶する情報について説明する。ジョブ管理サーバ４は、保存ジョブ情報と、実行中ジョブ情報とを保持している。図２（ａ）は保存ジョブ情報の一例を示す。「保存ジョブ情報」は、端末装置２などの各端末装置から受信したジョブのリストである。図２（ａ）に示すように、保存ジョブ情報は、ジョブ識別情報と、利用者ＩＤと、ジョブオーナーと、ドキュメントと、ジョブ種別とを含む。
【００３２】
「利用者ＩＤ」は、各ジョブを送信した利用者の利用者ＩＤである。「ジョブオーナー」は、送信されたジョブを指示した利用者名を示す。「ドキュメント」は、印刷等を行う場合にその対象となるドキュメント（電子データ）のファイル名を示す。「ジョブ種別」は、実行すべきジョブの種別を示す。なお、端末装置２からジョブ管理サーバ４へ送信された印刷等のジョブは、ジョブ管理サーバ４内に単にプールされており、送信時刻などにより実行順序などが設定されているわけではない。ジョブ管理サーバ４は、利用者が特定のプリンタにＩＣカードをかざして実行指示を行った際に、実行指示を行った利用者ＩＤ、及び、当該利用者ＩＤを含むジョブを認識し、当該ジョブにより指定されたＭＦＰに当該ジョブを送信して実行させる。
【００３３】
図２（ｂ）は実行中ジョブ情報の一例を示す。「実行中ジョブ情報」は、各プリンタにおいて現在実行されているジョブを示す情報である。図２（ｂ）に示すように、実行中ジョブ情報は、各ＭＦＰ３Ａ、３Ｂについて、ジョブ識別情報、ジョブオーナー、ドキュメント、及びジョブ種別を含む。「ジョブ識別情報」、「ジョブオーナー」、「ドキュメント」及び「ジョブ種別」は、保存ジョブ情報と同様である。なお、実行中ジョブ情報は、ジョブオーナーの代わりに、利用者ＩＤを含んでもよい。また、図２（ｂ）の例では、各プリンタについて、実行中の印刷ジョブの情報のみが含まれているが、実行中のジョブの次に予約されているジョブ（「予約ジョブ」と呼ぶ。）がある場合には、実行中ジョブ情報はその予約ジョブについての情報も含めて記憶される。
【００３４】
［印刷方法の詳細］
次に、利用者Ａが大阪オフィスにあるＭＦＰ３Ｂにより印刷対象データＤｔａｇを印刷する方法について、第１実施例及び第２実施例で具体的に説明する。以後では、「印刷ジョブ生成指示」とは、端末装置２に印刷ジョブを生成させる指示を指し、「印刷実行指示」とは、ＭＦＰにＩＣカードをかざしてＭＦＰに印刷物を出力させる指示を指す。
【００３５】
（１）第１実施例
第１実施例では、端末装置２は、印刷設定ウィンドウにおいて、ＭＦＰにＩＣカードをかざして印刷実行指示をする者（「印刷実行者」とも呼ぶ。）を指定させる項目を設ける。そして、利用者Ｂは、端末装置２に印刷対象データＤｔａｇの印刷設定ウィンドウを表示させ、当該印刷設定ウィンドウで利用者Ａを印刷実行者に指定して印刷ジョブ生成指示を行うことで、利用者ＡによるＭＦＰ３Ｂでの印刷対象データＤｔａｇの印刷を可能にする。
【００３６】
図３は、印刷対象データＤｔａｇの印刷設定ウィンドウの表示例を示す。例えば、利用者Ｂは、サーバ装置５内に記憶された印刷対象データＤｔａｇにアクセスして端末装置２に表示させた後、印刷対象データＤｔａｇを表示するアプリケーションが有する印刷メニューを選択することで、図３に示す印刷設定ウィンドウを端末装置２に表示させる。
【００３７】
図３に示すように、端末装置２は、印刷設定ウィンドウにおいて、主に、プリンタ名指定欄２１と、プロパティボタン２２と、印刷部数指定欄２３と、印刷範囲指定ボタン２４と、印刷実行者指定ボタン２７と、決定ボタン３５と、キャンセルボタン３６とを表示する。
【００３８】
プリンタ名指定欄２１は、印刷対象データＤｔａｇの印刷を実行するプリンタ（ＭＦＰ）名を表示する。図３では、プリンタ名指定欄２１は、プルダウンメニュー形式となっており、端末装置２は、利用者Ｂの選択に基づき、大阪オフィスにあるＭＦＰ３Ｂの名称「ＸＸＸＸ（大阪オフィス）」をプリンタ名指定欄２１に表示させている。プロパティボタン２２は、プリンタ名指定欄２１で指定されたプリンタ（ＭＦＰ）のプロパティ画面を表示させるためのボタンである。印刷部数指定欄２３は、印刷部数を表示する欄である。端末装置２は、利用者Ｂの操作に基づき指定された印刷部数を印刷部数指定欄２３に表示する。印刷範囲指定ボタン２４は、印刷範囲を指定するためのラジオボタンである。ページ指定欄２５、２６は、印刷範囲指定ボタン２４Ｃが選択された場合に、印刷を行う最初のページ番号と、最後のページ番号とをそれぞれ指定するため入力欄である。
【００３９】
印刷実行者指定ボタン２７は、印刷実行者を指定するラジオボタンである。「本人」と表示された印刷実行者指定ボタン２７Ａが選択された状態では、端末装置２は、印刷実行者が当該端末装置２にログインしている利用者（即ち利用者Ｂ）であると認識し、後述する決定ボタン３５が押下された場合に利用者Ｂの利用者ＩＤを含む印刷ジョブを生成する。
【００４０】
また、「実行者指定」と表示された印刷実行者指定ボタン２７Ｂが選択された状態では、端末装置２は、利用者ＩＤ入力欄２８をアクティブにして、当該利用者ＩＤ入力欄２８への利用者ＩＤの入力を受け付ける。図３では、端末装置２は、利用者Ｂの入力に基づき、利用者Ａの利用者ＩＤである「００１４」を、利用者ＩＤ入力欄２８に表示している。また、印刷実行者指定ボタン２７Ｂが選択された状態では、端末装置２は、有効期限指定欄３０Ｂをアクティブにし、プルダウンメニューにより指定された印刷ジョブの有効期限（ここでは１日）を有効期限指定欄３０Ｂに表示する。なお、印刷実行者指定ボタン２７Ｂが選択された状態で、決定ボタン３５が押下された場合の印刷ジョブの生成処理については後述する。
【００４１】
「テンポラリーコードの生成」と表示された印刷実行者指定ボタン２７Ｃが選択された場合、端末装置２は、印刷対象データＤｔａｇの印刷実行指示をＭＦＰに行うための暗証番号となるコード（「テンポラリーコード」とも呼ぶ。）の生成要求を、ジョブ管理サーバ４に送信する。この場合、ジョブ管理サーバ４は、保存ジョブ情報として記憶された印刷ジョブに付されたテンポラリーコードと重複しないテンポラリーコードを生成し、生成したテンポラリーコードを端末装置２に送信する。そして、端末装置２は、ジョブ管理サーバ４から受信したテンポラリーコードをコード表示欄２９に表示させる。また、端末装置２は、印刷実行者指定ボタン２７Ｃが選択された場合、有効期限指定欄３０Ｃをアクティブにし、プルダウンメニューにより指定された印刷ジョブの有効期限を有効期限指定欄３０Ｃに表示する。なお、印刷実行者指定ボタン２７Ｃが選択された状態で、決定ボタン３５が押下された場合の印刷ジョブの生成処理については後述する。
【００４２】
決定ボタン３５が押下された場合、端末装置２は、印刷設定ウィンドウでの入力内容に基づき印刷ジョブを生成し、当該印刷ジョブをジョブ管理サーバ４に送信する。そして、端末装置２は、印刷設定ウィンドウの表示を消去する。一方、キャンセルボタン３６が押下された場合、端末装置２は、印刷ジョブを生成することなく印刷設定ウィンドウの表示を消去する。
【００４３】
次に、利用者ＩＤ入力欄２８に利用者ＩＤが入力された状態で、決定ボタン３５が押下された場合について具体的に説明する。この場合、端末装置２は、利用者ＩＤ入力欄２８に入力された利用者ＩＤ（図３では利用者Ａの利用者ＩＤ「００１４」）を含む印刷ジョブを生成する。また、端末装置２は、有効期限指定欄３０Ｂで指定された印刷ジョブの有効期限を認識する。そして、端末装置２は、生成した印刷ジョブと、当該印刷ジョブの有効期限の情報とをジョブ管理サーバ４に送信する。この場合、ジョブ管理サーバ４は、受信した印刷ジョブ及びその有効期限の情報を保存ジョブ情報として記憶する。また、ジョブ管理サーバ４は、有効期限の情報が付された印刷ジョブについて、当該印刷ジョブの有効期限が切れるか否か監視し、有効期限が切れた印刷ジョブが存在した場合、当該印刷ジョブを保存ジョブ情報から削除する。
【００４４】
ここで、保存ジョブ情報として記憶された印刷対象データＤｔａｇの印刷ジョブの利用者ＩＤは、利用者ＩＤ入力欄２８に入力された利用者ＩＤ（即ち、利用者Ａの利用者ＩＤ「００１４」）に設定されている。従って、利用者Ａは、大阪オフィスのＭＦＰ３ＢでＩＣカードをかざしてＭＦＰ３Ｂに印刷実行指示を行うことで、ＭＦＰ３Ｂに印刷対象データＤｔａｇの印刷ジョブをジョブ管理サーバ４から取得させて、印刷対象データＤｔａｇの印刷を実行させることができる。
【００４５】
このように、大阪オフィスに出張している利用者Ａは、ＭＦＰ３Ｂで印刷対象データＤｔａｇの印刷を実行したいと考えた場合、まず、利用者Ｂに対し、印刷対象データＤｔａｇの印刷設定ウィンドウにより印刷実行者を利用者Ａに指定した印刷ジョブ生成指示の実行を依頼する。その後、利用者Ａが大阪オフィスのＭＦＰ３ＢでＩＣカードをかざして印刷指示を行うと、ＭＦＰ３Ｂは、利用者Ｂの操作により生成された利用者Ａの利用者ＩＤを含む印刷ジョブをジョブ管理サーバ４から取得し、当該印刷ジョブを実行することで印刷対象データＤｔａｇの印刷を行う。このとき、ＭＦＰ３Ｂは、利用者Ａの利用者ＩＤを含む印刷ジョブが複数存在する場合には、各印刷ジョブの一覧を表示し、印刷対象データＤｔａｇに対応する印刷ジョブを選択させてもよい。このように、利用者Ａは、大阪オフィスからアクセスできない東京オフィスにあるサーバ装置５に記憶された印刷対象データＤｔａｇを、大阪オフィスにあるＭＦＰ３Ｂに好適に印刷させることができる。
【００４６】
次に、印刷実行者指定ボタン２７Ｃが選択された状態で、決定ボタン３５が押下された場合について具体的に説明する。図４は、印刷実行者指定ボタン２７Ｃが選択された状態の印刷設定ウィンドウの表示例である。図４に示すように、この場合、端末装置２は、ジョブ管理サーバ４からテンポラリーコードを受信してコード表示欄２９に表示している。また、端末装置２は、有効期限指定欄３０Ｃにおいて、プルダウンメニューにより指定されたテンポラリーコードの有効期限（ここでは３時間）を表示する。
【００４７】
そして、図４に示す状態で、決定ボタン３５が押下された場合、端末装置２は、利用者ＩＤを指定せずにテンポラリーコードを付加した印刷ジョブを生成する。また、端末装置２は、有効期限指定欄３０Ｃで指定された印刷ジョブの有効期限を認識し、生成した印刷ジョブに付加する。そして、端末装置２は、テンポラリーコード及びその有効期限の情報が付加された印刷ジョブをジョブ管理サーバ４に送信する。ジョブ管理サーバ４は、テンポラリーコード等が付された印刷ジョブを受信した場合、当該印刷ジョブを保存ジョブ情報として記憶する。また、ジョブ管理サーバ４は、テンポラリーコードが付された印刷ジョブの有効期限が切れるか否かを監視し、有効期限が切れたテンポラリーコードが付された印刷ジョブが存在した場合、当該印刷ジョブを保存ジョブ情報から削除する。
【００４８】
印刷ジョブの生成後、利用者Ａは、利用者Ｂから印刷設定ウィンドウのコード表示欄２９に表示されたテンポラリーコードをメールや電話等で通知してもらい、通知されたテンポラリーコードを大阪オフィスのＭＦＰ３Ｂに入力する。この場合、ＭＦＰ３Ｂは、利用者Ａにより入力されたテンポラリーコードをジョブ管理サーバ４に送信する。そして、ジョブ管理サーバ４は、送信されたテンポラリーコードと一致するテンポラリーコードが付された印刷ジョブを保存ジョブ情報から抽出し、当該印刷ジョブをＭＦＰ３Ｂに送信する。そして、ＭＦＰ３Ｂは、送信された印刷ジョブに基づき、印刷対象データＤｔａｇの印刷を行う。
【００４９】
このように、利用者Ａは、利用者Ｂが印刷設定ウィンドウでの入力に基づき生成したテンポラリーコードを使用することによっても、大阪オフィスからアクセスできない東京オフィスにあるサーバ装置５に記憶された印刷対象データＤｔａｇを、大阪オフィスにあるＭＦＰ３Ｂに印刷させることができる。
【００５０】
（２）第２実施例
第２実施例では、第１実施例に代えて、利用者Ａは、利用者Ｂからの印刷実行指示の権限（「プリント権限」とも呼ぶ。）の委譲をＭＦＰ３Ｂに登録することで、ＭＦＰ３Ｂに印刷対象データＤｔａｇを印刷させる。この場合、利用者Ａは、利用者Ｂに、プリント権限の委譲書（「プリント権限委譲書」とも呼ぶ。）の作成を依頼し、プリント権限委譲書をＭＦＰ３Ｂでスキャンさせることで、利用者Ｂから利用者Ａへのプリント権限の委譲をＭＦＰ３Ｂに認識させる。
【００５１】
図５は、利用者Ｂが作成したプリント権限委譲書の上面図である。なお、利用者Ｂは、例えば、端末装置２にプリント権限委譲書を生成するためのプログラムを予めインストールしておくことで、端末装置２にプリント権限委譲書を生成させる。
【００５２】
図示のように、プリント権限の委譲書には、プリント権限の委譲元の情報（「委譲元情報」とも呼ぶ。）である利用者Ｂの利用者名「Ａ氏」及び利用者ＩＤ「００１５」と、プリント権限の委譲先の情報（「委譲先情報」とも呼ぶ。）である利用者Ａの利用者名「Ｓ氏」及び利用者ＩＤ「００１４」とが印刷されている。
【００５３】
さらに、プリント権限委譲書には、二次元バーコードであるＱＲコード（登録商標）３８が印刷されている。ＱＲコード３８は、上述した委譲元情報及び委譲先情報をコード化したパターンである。後述するように、プリント権限の委譲先である利用者Ａは、図５に示すプリント権限の委譲書をＭＦＰ３Ｂによりスキャンすることで、ＭＦＰ３ＢにＱＲコード３８を読み取らせ、プリント権限の委譲元情報及び委譲先情報をＭＦＰ３Ｂに認識させる。
【００５４】
次に、第２実施例の処理手順について図６を参照して説明する。図６は、利用者Ｂ及び利用者Ａの操作手順並びにＭＦＰ３Ｂの処理手順を示すフローチャートである。
【００５５】
まず、利用者Ａは、電話やメールなどにより、印刷対象データＤｔａｇの印刷ジョブ生成指示及びプリント権限の委譲を利用者Ｂに依頼する（ステップＳ１１）。この場合、利用者Ａは、プリント権限委譲書の作成に必要な利用者Ａの利用者ＩＤを利用者Ｂに適宜通知する。
【００５６】
次に、利用者Ｂは、端末装置２により、サーバ装置５に記憶された印刷対象データＤｔａｇにアクセスし、当該印刷対象データＤｔａｇの印刷ジョブ生成指示を実行する（ステップＳ１２）。さらに、利用者Ｂは、端末装置２によりプリント権限委譲書を作成する（ステップＳ１３）。この場合、例えば、端末装置２には、プリント権限委譲書を生成するためのプログラムがインストールされており、利用者Ｂから委譲元情報及び委譲先情報の入力を受け付けることで、当該入力に基づきプリント権限委譲書の電子データを生成する。なお、端末装置２は、利用者Ｂの情報を、委譲元情報として予め記憶しておいてもよい。
【００５７】
次に、利用者Ｂは、端末装置２によりプリント権限委譲書の電子データをメールに添付して送信するか、ＭＦＰ３Ａによりプリント権限委譲書を大阪オフィスにある機器（例えばＭＦＰ３Ｂ）にＦＡＸ送信する（ステップＳ１４）。これにより、利用者Ａは、図５に示すプリント権限委譲書を取得する。
【００５８】
そして、利用者Ａは、プリント権限委譲書をＭＦＰ３Ｂでスキャンする（ステップＳ１５）。この場合、ＭＦＰ３Ｂは、スキャンしたプリント権限委譲書のＱＲコード３８を読み取る（ステップＳ１６）。これにより、ＭＦＰ３Ｂは、委譲元情報及び委譲先情報を認識する。そして、ＭＦＰ３Ｂは、認識した委譲元情報及び委譲先情報に基づき、利用者Ｂから利用者Ａへのプリント権限の委譲を有効にするモード（「権限委譲モード」とも呼ぶ。）を開始する（ステップＳ１７）。この権限委譲モードの期間では、ＭＦＰ３Ｂは、プリント権限の委譲先である利用者Ａによる印刷実行指示を、プリント権限の委譲元である利用者Ｂによる印刷実行指示として認識する。
【００５９】
次に、利用者Ａは、ＩＣカードをＭＦＰ３Ｂにかざす（ステップＳ１８）。これにより、ＭＦＰ３Ｂは、利用者Ａを認証し、利用者Ｂの利用者ＩＤが含まれている印刷ジョブの一覧を表示する（ステップＳ１９）。即ち、この場合、ＭＦＰ３Ｂは、プリント権限の委譲先である利用者Ａが操作者であることを認識し、プリント権限の委譲元である利用者Ｂの印刷ジョブ生成指示により生成された印刷ジョブの一覧を表示する。
【００６０】
次に、利用者Ａは、表示された印刷ジョブの一覧から、印刷対象データＤｔａｇに対応する印刷ジョブを選択してＭＦＰ３Ｂに印刷実行指示を行う（ステップＳ２０）。この場合、ＭＦＰ３Ｂは、選択された印刷ジョブをジョブ管理サーバ４から受信し、当該印刷ジョブの実行を行うことで、印刷対象データＤｔａｇの印刷を行う（ステップＳ２１）。これにより、利用者Ａは、好適に、印刷対象データＤｔａｇの印刷物を取得することができる。なお、プリント権限の委譲先である利用者Ａは、印刷実行指示の他、表示された印刷ジョブの一覧から任意の印刷ジョブを選択して削除する旨の入力を行ってもよい。この場合、ＭＦＰ３Ｂは、例えば、選択された印刷ジョブを削除する旨の指示信号をジョブ管理サーバ４へ送信し、ジョブ管理サーバ４は、当該指示信号に基づき、保存ジョブ情報から該当する印刷ジョブを削除する。
【００６１】
印刷対象データＤｔａｇの印刷物の取得後、利用者Ａは、プリント権限委譲書をＭＦＰ３Ｂで再びスキャンさせる（ステップＳ２２）。この場合、ＭＦＰ３Ｂは、再びＱＲコード３８を読み取り、委譲元情報及び委譲先情報を認識する。そして、この場合、ＭＦＰ３Ｂは、認識した委譲元情報が示す委譲元及び委譲先情報が示す委譲先が、現在実行中の権限委譲モードでの委譲元及び委譲先と一致することを認識する。この場合、ＭＦＰ３Ｂは、ステップＳ１７で開始した利用者Ｂから利用者Ａヘの権限委譲モードを終了させる（ステップＳ２３）。
【００６２】
このように、ＭＦＰ３Ｂは、プリント権限委譲書により認識したプリント権限の委譲元及び委譲先が、現在実行中の権限委譲モードでのプリント権限の委譲元及び委譲先とそれぞれ一致する場合には、当該権限委譲モードを終了する。これにより、プリント権限の委譲元である利用者Ａは、プリント権限委譲書をＭＦＰ３Ｂにスキャンさせることで、権限委譲モードの開始及び終了を好適に制御することができる。
【００６３】
［変形例］
次に、上述の実施形態に好適な変形例について説明する。以下に説明する変形例は、任意に組み合わせて上述の実施形態に適用してもよい。
【００６４】
（１）変形例１
第１実施例の図３に示す印刷設定ウィンドウにおいて、端末装置２は、印刷実行者指定ボタン２７Ｃが選択された場合、テンポラリーコードをジョブ管理サーバ４から受信してコード表示欄２９に表示させた。これに代えて、端末装置２は、コード表示欄２９への任意のコードの入力を受け付け、入力されたコードをテンポラリーコードとして印刷ジョブに付加してジョブ管理サーバ４に送信してもよい。これにより、利用者は、覚えやすい数字や文字などをテンポラリーコードに設定して使用することができる。もしくは、端末装置２においてランダムな英数字等からなるテンポラリーコードを生成してもよい。
【００６５】
このとき、好適には、端末装置２は、コード表示欄２９に入力されたコードが、保存ジョブ情報に記憶されている印刷ジョブに付加されたテンポラリーコードと重複しないか否かをジョブ管理サーバ４に問い合わせ、重複する場合には、コード表示欄２９への入力をエラーとして通知してもよい。この場合、端末装置２は、先に入力されたコードと異なるコードをコード表示欄２９に再入力させる。これにより、端末装置２は、テンポラリーコードが重複するのを好適に抑制することができる。
【００６６】
また、テンポラリーコード生成時において、端末装置２からジョブ管理サーバ４に対してテンポラリーコード生成要求を行い、印刷ジョブに付加されたテンポラリーコードと重複しないランダムなテンポラリーコードを生成して、端末装置２に返信するような構成とすることもできる。
【００６７】
（２）変形例２
第１実施例の図３に示す印刷設定ウィンドウにおいて、端末装置２は、プリンタ名指定欄２１で印刷を実行させるプリンタ名を指定させる代わりに、印刷を実行する場所を指定させてもよい。例えば、この場合、端末装置２は、印刷設定ウィンドウ上で、プリンタ名を指定するか又は場所を指定するかを指定するラジオボタンをさらに設け、場所を指定するラジオボタンが選択された場合には、印刷を実行する場所（例えば東京オフィス又は大阪オフィス）を選択するためのプルダウンメニューをさらに表示させる。
【００６８】
（３）変形例３
第２実施例の図５に示すプリント権限の委譲書に印刷されたＱＲコード３８には、委譲元情報と委譲先情報のみが含まれていた。これに加えて、ＱＲコード３８には、委譲するプリント権限の対象範囲の情報（「委譲対象情報」とも呼ぶ。）やプリント権限の委譲が有効な期間の情報（「有効期間情報」とも呼ぶ。）などの他の情報を含んでもよい。
【００６９】
図７は、変形例に係るプリント権限委譲書の上面図である。図７に示すように、プリント権限委譲書には、委譲するプリント権限の対象であるドキュメント名と、プリント権限の委譲が有効な期間である期日とが印刷されている。そして、この場合、ＱＲコード３８には、委譲元情報及び委譲先情報に加えて、上述のドキュメント名を示す委譲対象情報と、上述の期日を示す有効期間情報とがコード化されている。
【００７０】
次に、本変形例に係る図６のフローチャートの処理について補足説明する。ＭＦＰ３Ｂは、図６のステップＳ１６において、図７に示すプリント権限委譲書をスキャンした場合、委譲元情報及び委譲先情報に加えて、委譲対象情報及び有効期間情報を認識する。そして、ステップＳ１９では、ＭＦＰ３Ｂは、利用者Ｂの印刷ジョブのうち、委譲対象情報に示されたドキュメントに対応する印刷ジョブを表示する。また、ＭＦＰ３Ｂは、ステップＳ２３でプリント権限委譲書を再びスキャンするか否かに関わらず、認識した有効期間情報が示す有効期限が過ぎた場合には、権限委譲モードを自動的に終了する。
【００７１】
このように、本変形例によれば、プリント権限の委譲元である利用者Ｂは、プリント権限を委譲する範囲を必要最小限にすることができ、かつ、プリント権限を委譲する期間を限定することができる。
【００７２】
（４）変形例４
上記の実施形態では、図１に示すように、ジョブ管理サーバ４は、端末装置２及びプリンタと独立したサーバとして構成されている。その代わりに、ジョブ管理サーバ４の機能をいずれかのＭＦＰの内部に設けてもよい。また、その代わりに、ジョブ管理サーバ４の機能を端末装置２の内部に設けてもよい。即ち、本発明では、端末装置２とＭＦＰと、ジョブ管理サーバ４の機能を有する部分とがネットワーク上に構成されていれば、ジョブ管理サーバ４の機能を有する部分がどこに配置されていても上記の実施形態と同様の処理が可能である。
（５）変形例５
第１実施例に代えて、利用者Ｂは、端末装置２により利用者Ｂを印刷実行者とする印刷対象データＤｔａｇの印刷ジョブ生成指示を行った後、再び端末装置２を操作して上述の印刷対象データＤｔａｇの印刷実行者を本人以外の１又は複数の他人に指定してもよい。この具体例（第１具体例、第２具体例）について説明する。なお、以後に述べる「端末Ｔｘ」は、例えば実施例の端末装置２と同様の機能を有し、「プリンタＰｘ」は、例えば実施例のＭＦＰ３Ａ、３Ｂと同様の機能を有するものとする。
【００７３】
第１具体例では、利用者「Ｘ」は、利用者Ｘが使用する端末Ｔｘにより、任意のアプリケーションのファイル（「ファイルＦｔａｇ」とも呼ぶ。）を表示させた後、端末Ｔｘと通信可能なプリンタＰｘに、ファイルＦｔａｇの印刷ジョブを端末Ｔｘに送信させる。このとき、印刷ジョブの実行者は、利用者Ｘに設定されている。その後、利用者Ｘは、端末Ｔｘ上で、プリンタＰｘのユーティリティソフトウェアを起動させる。この場合、端末Ｔｘ上で実行されるプリンタＰｘのユーティリティソフトウェアは、端末Ｔｘに搭載されているＯＳのログイン情報などに基づき、利用者Ｘが当該ユーティリティソフトウェアを利用していることを認識し、端末ＴｘからプリンタＰｘへ送信された印刷ジョブの印刷実行者の変更を指定する入力を受け付ける。そして、端末Ｔｘ上で実行されるプリンタＰｘのユーティリティソフトウェアは、上述の入力に基づき、印刷ジョブの印刷実行者（即ち利用者ＩＤやジョブオーナ）を、利用者Ｘ以外の１又は複数の他人に設定する。その後、印刷実行者に指定された者は、プリンタＰｘにＩＣカードをかざすことにより印刷を実行する。
【００７４】
なお、第１具体例において、第１実施例と同様に、ジョブ管理サーバが印刷ジョブを管理する場合について補足説明する。この場合、端末Ｔｘは、印刷実行者の変更を指定する入力を受け付けた後、ジョブ管理サーバが記憶するファイルＦｔａｇの印刷ジョブの印刷実行者の変更を指示する情報をジョブ管理サーバに送信する。そして、ジョブ管理サーバは、受信した情報に基づき、記憶したファイルＦｔａｇの印刷ジョブの印刷実行者を変更する。
【００７５】
次に、第２具体例について説明する。第２具体例では、利用者Ｘは、利用者Ｘが使用する端末Ｔｘにより、任意のアプリケーションのファイルＦｔａｇを表示させた後、当該ファイルＦｔａｇの印刷指示の入力を行う。この場合、端末Ｔｘは、印刷実行者を利用者Ｘ以外に設定するか否かを尋ねるポップアップウィンドウを表示し、さらに、印刷実行者を利用者Ｘ以外に設定する場合に、利用者Ｘ以外を指定する入力を受け付ける。そして、端末Ｔｘは、入力に基づき、印刷ジョブの印刷実行者を、利用者Ｘ以外の１又は複数の他人に設定し、当該印刷ジョブをプリンタＰｘに送信する。
【符号の説明】
【００７６】
２  端末装置
３Ａ、３Ｂ  ＭＦＰ
４  ジョブ管理サーバ
５  サーバ装置
６  ＬＡＮ
１００  ネットワーク
【図１】
2015001772.tif 000003
【図２】
2015001772.tif 000004
【図３】
2015001772.tif 000005
【図４】
2015001772.tif 000006
【図５】
2015001772.tif 000007
【図６】
2015001772.tif 000008
【図７】
2015001772.tif 000009